(57)【要約】  【課題】  本発明は、健常者には通常画面を表示し、色覚が弱いまたは色覚を欠く色覚障害者には前記通常画面を切り替えて、前記色覚障害者が認識可能な色彩の対比に色覚障害者用画面を表示することができるタッチパネル装置を提供することを課題とする。  【解決手段】  図５に示す本発明にかかるタッチパネル装置の入力キー色彩対比テーブルは、前記ＲＯＭ１０に記憶されている前記入力キー背景色および前記入力キー内文字色の色彩対比の組合せである。テーブル番号１は、健常者用の通常画面における色彩対比の組合せであり、入力キー背景色が薄黄色で入力キー内文字色が灰色で表示される。テーブル番号２〜６は、色覚障害者用画面における色彩対比の組合せであり、たとえばテーブル番号２は、入力キー背景色が白色で入力キー内文字色が黒色で表示される。【選択図】        図５
2005078359.tif 000002
【特許請求の範囲】
【請求項１】
表示画面に入力キーが表示され、前記表示画面に重ねて設けたタッチパネルの前記入力キーに対応する入力受入領域をタッチすることにより、前記タッチされた入力受入領域に対応する前記入力キーに割り当てられた入力操作を行うタッチパネル装置であって、  
通常画面に色覚が弱いまたは色覚を欠く色覚障害者が認識可能な色彩の対比に画面切り替えキーが表示され、  
前記画面切り替えキーに対応する入力受入領域がタッチされると、前記通常画面を切り替えて、前記画面切り替えキーと同一の色彩の対比に入力キーが表示された色覚障害者用画面を表示することを特徴とするタッチパネル装置。  
【請求項２】
前記色覚障害者用画面が表示されたとき、前記色覚障害者用画面に表示された入力キー対応する入力受入領域がタッチされると、前記タッチされた入力受入領域に対応する前記入力キーの色彩の対比を、前記色覚障害者が認識可能な他の色彩の対比に変更して表示することを特徴とする請求項１記載のタッチパネル装置。
【請求項３】
前記色覚障害者用画面が表示されたとき、前記色覚障害者用画面に表示された入力キー対応する入力受入領域がタッチされると、前記タッチされた入力受入領域に対応する前記入力キーの色彩の対比を、前記色覚障害者が認識可能な他の色彩の対比に変更して所定時間表示することを特徴とする請求項１記載のタッチパネル装置。
【請求項４】
印字用紙をプラテンローラとサーマルヘッドとの間に挟持し、前記サーマルヘッドによって前記印字用紙に画像情報を印字するサーマルプリンタに接続される請求項１乃至３記載のタッチパネル装置。
【発明の詳細な説明】
【技術分野】
【０００１】
本発明は、タッチパネル装置に関し、特に、色覚が弱いまたは色覚を欠く色覚障害者が認識可能な色彩の対比で入力キーを表示することができるタッチパネル装置に関する。
【背景技術】
【０００２】
従来、このようなタッチパネル装置として、ＬＣＤ（Ｌｉｐｕｉｄ  Ｃｒｙｓｔａｌ  Ｄｉｓｐｌａｙ）などのディスプレイに入力キーを表示し、このディスプレイに透過性を有するタッチパネルを重ねて設け、このタッチパネルを透過して表示される入力キーを指またはペンによってタッチ（接触）することで入力操作を行っている。
【０００３】
ところが、視覚障害者にとっては、ディスプレイに表示された入力キーの位置を認識することができず、入力操作ができない状態であった。このような問題を解決するため、タッチパネル上にディスプレイに表示された入力キー位置に対応した凸部を表面に有する透明シートが設けられたタッチパネル装置が提案されている。
【特許文献１】特開平７−３１９６２３号公報
【発明の開示】
【発明が解決しようとする課題】
【０００４】
しかしながら、このようなタッチパネル装置にあっては、タッチパネル上に、ディスプレイの入力キー位置に対応した凸部を表面に有する透明シートが設けられただけであることから、色覚が弱いまたは色覚を欠く色覚障害者が入力操作を行う場合の補助としての効果は小さい。
【０００５】
そこで、このような色覚が弱いまたは色覚を欠く色覚障害者が認識可能な色彩の対比に、入力キーの背景色と文字色とを表示しておくことも考えられるが、そうすると逆に健常者が見づらくなってしまう。
また、色覚の三要素である、赤、緑、青のうち、どの系統の色覚が弱いまたは色覚を欠いているかは色覚障害者によって異なっている。
さらに、こうしたタッチパネル装置で入力キーのタッチ操作は、キーボードのように押下した感覚が得られないため、色覚障害者にとっては自分がタッチした入力キーの判別が困難である。
【０００６】
本発明はかかる問題点をかんがみてなされたものであり、その目的とするところは、健常者には通常画面を表示し、色覚が弱いまたは色覚を欠く色覚障害者には前記通常画面を切り替えて、前記色覚障害者が認識可能な色彩の対比に色覚障害者用画面を表示することができるタッチパネル装置を提供することを課題とする。
また、前記色覚障害者用画面の色彩の対比を変更して、多くの前記色覚障害者に対応できるタッチパネル装置を提供することを課題とする。
さらに、前記色覚障害者がタッチした入力キーを確実に判別できるタッチパネル装置を提供することを課題とする。
【課題を解決するための手段】
【０００７】
本発明は上記課題を解決すべく、以下に掲げる構成とした。
請求項１記載の発明の要旨は、表示画面に入力キーが表示され、前記表示画面に重ねて設けたタッチパネルの前記入力キーに対応する入力受入領域をタッチすることにより、前記タッチされた入力受入領域に対応する前記入力キーに割り当てられた入力操作を行うタッチパネル装置であって、通常画面に色覚が弱いまたは色覚を欠く色覚障害者が認識可能な色彩の対比に画面切り替えキーが表示され、前記画面切り替えキーに対応する入力受入領域がタッチされると、前記通常画面を切り替えて、前記画面切り替えキーと同一の色彩の対比に入力キーが表示された色覚障害者用画面を表示することを特徴とするタッチパネル装置に関する。  
また請求項２記載の発明の要旨は、前記色覚障害者用画面が表示されたとき、前記色覚障害者用画面に表示された入力キー対応する入力受入領域がタッチされると、前記タッチされた入力受入領域に対応する前記入力キーの色彩の対比を、前記色覚障害者が認識可能な他の色彩の対比に変更して表示することを特徴とする請求項１記載のタッチパネル装置に関する。
また請求項３記載の発明の要旨は、前記色覚障害者用画面が表示されたとき、前記色覚障害者用画面に表示された入力キー対応する入力受入領域がタッチされると、前記タッチされた入力受入領域に対応する前記入力キーの色彩の対比を、前記色覚障害者が認識可能な他の色彩の対比に変更して、所定時間表示することを特徴とする請求項１記載のタッチパネル装置に関する。
また請求項４記載の発明の要旨は、印字用紙をプラテンローラとサーマルヘッドとの間に挟持し、前記サーマルヘッドによって前記印字用紙に画像情報を印字するサーマルプリンタに接続される請求項１乃至３記載のタッチパネル装置に関する。
【発明の効果】
【０００８】
本発明のタッチパネル装置によれば、通常画面に色覚が弱いまたは色覚を欠く色覚障害者が認識可能な色彩の対比に画面切り替えキーが表示され、前記画面切り替えキーに対応する入力受入領域がタッチされると、前記通常画面を切り替えて、前記画面切り替えキーと同一の色彩の対比に入力キーが表示された色覚障害者用画面を表示するようにしたので、健常者には通常画面を表示し、色覚障害者であっても迷うことなく健常者用の通常画面を切り替えて、前記色覚障害者が認識可能な色彩の対比に色覚障害者用画面を表示することができる。
また、画面切り替えキーの入力キー背景色、入力キー内文字色の色彩の対比は、どの色系統の色覚障害であるかにあわせて、入力キー色彩対比テーブルの組合せから指定して設定できるようにしたので、多くの色覚障害者に対応することができる。
さらに、前記色覚障害者用画面が表示されたとき、前記色覚障害者用画面に表示された入力キー対応する入力受入領域がタッチされると、前記タッチされた入力受入領域に対応する前記入力キーの色彩の対比を、前記色覚障害者が認識可能な他の色彩の対比に変更して表示するようにしたので、前記色覚障害者がタッチした入力キーを確実に判別できる。
【発明を実施するための最良の形態】
【０００９】
まず、本発明にかかるタッチパネル装置の構成について図１乃至図４を用いて説明する。図１は、本発明にかかるタッチパネル装置を説明するための説明図である。図２は、図１に示すサーマルプリンタの構成を示す模式図である。図３は、図１に示すＡ−Ａ方向概略断面図である。図４は、本発明にかかるタッチパネル装置の構成を示すブロック図である。
【００１０】
図１に示すタッチパネル装置１は、サーマルプリンタ４０の制御部に接続され、タッチパネル装置１の表面に表示された各種入力キーをタッチすることにより、この各種入力キーに割り当てられた入力操作を行う。
【００１１】
図２に示すサーマルプリンタ４０は、印字用紙４１をプラテンローラ４２とサーマルヘッド４３との間に挟持し、前記タッチパネル装置１からの入力操作に基づいて、サーマルヘッド４３により印字用紙４１に画像情報を印字する。
【００１２】
図３に示すタッチパネル装置１は、下面にバックライトを有し各種入力キーを表示する表示画面であるＬＣＤ３と、ＬＣＤ３の表示画面に重ねて設けた透過性を有するタッチパネル２と、ＬＣＤ３の表示画面と反対側に設けたタッチパネル装置１全般の制御を行う制御回路４と、によって構成され、タッチパネル２の表面が表出した状態で筐体５に収納される。
【００１３】
タッチパネル装置１は、ＬＣＤ３に各種入力キーを表示し、タッチパネル２を透過して表示される各種入力キーを指またはペンによってタッチすると、タッチパネル２のタッチされた座標を検出して、その座標に応じた検出信号を出力する。
【００１４】
図４に示す制御回路４は、タッチパネル２の制御を行うタッチパネル制御器６と、ＬＣＤ３の制御を行うＬＣＤ制御器７と、タッチパネル入力装置１全般の制御を行うＣＰＵ８と、ＣＰＵ８が各種の処理を行う上で必要となる各種の情報を一時的に記憶しておくＲＡＭ９と、タッチパネル入力装置１を稼動させるためのプログラムやＬＣＤ３に表示される入力キーおよびタッチパネル２に設定される入力受入領域データなどが記憶されたＲＯＭ１０と、によって構成され、基板上において全てが接続されている。
【００１５】
次に、本発明にかかるタッチパネル装置の実施の形態について説明する。図５は、本発明にかかるタッチパネル装置の入力キー色彩対比テーブルである。図６は、本発明にかかるタッチパネル装置による実施の形態を説明するための説明図である。
【００１６】
前述したＲＯＭ１０には、ＬＣＤ３に表示される入力キーデータとして、入力キー領域座標、入力キー内文字座標、入力キー領域色（入力キー背景色）、入力キー内文字色などが記憶されている。図５に示す本発明にかかるタッチパネル装置の入力キー色彩対比テーブルは、前記ＲＯＭ１０に記憶されている前記入力キー背景色および前記入力キー内文字色の色彩対比の組合せである。テーブル番号「１」は、健常者用の通常画面における色彩対比の組合せであり、入力キー背景色が薄黄色で入力キー内文字色が灰色で表示される。テーブル番号「２〜６」は、色覚障害者用画面における色彩対比の組合せであり、たとえばテーブル番号「２」は、入力キー背景色が白色で入力キー内文字色が黒色で表示される。
【００１７】
ところで、色覚障害には、色覚の三要素（赤、緑、青）のうち、ある系統の色覚が他の色覚に比べて比較的弱い色弱と、ある系統の色覚を欠く色盲とがある。また、系統別では、赤、緑、青が弱い場合をそれぞれ第一、第二、第三色覚障害という。このうち、第一色覚障害は赤色とその補色、第二色覚障害は緑色とその補色の識別に困難を生じることがあるものだが、その障害程度は様々であり、青色とその補色の識別に困難を生じることがある第三色覚障害は稀である。このことから、図５に示した入力キー色彩対比テーブルのように、その色彩対比の組合せに青、白、黒を用いれば多くの色覚障害者に対応することができる。
【００１８】
図６（ａ）は、本発明にかかるタッチパネル装置による通常画面表示の一例である。前述のような構成において、サーマルプリンタ４０の電源が入れられると、タッチパネル装置１の制御回路４は初期リセットを行い、ＣＰＵ８は通常画面である図５に示したテーブル番号「１」の入力キーデータをＲＯＭ１０から読み出し、ＬＣＤ制御器７を介してＬＣＤ３に表示する。つまり、健常者用の通常画面として、「Ａ」入力キー１１は、入力キー背景色２１が薄黄色、入力キー内文字色３１が灰色に表示され、同様に「Ｂ」入力キー１２も、入力キー背景色２２が薄黄色、入力キー内文字色３２が灰色に表示される。さらに、こうした通常画面表示には、色覚が弱いまたは色覚を欠く色覚障害者が認識可能な色彩の対比で、たとえば、図５に示したテーブル番号「２」の色彩の対比に、画面切り替えキー１３は、入力キー背景色２３が白色、入力キー内文字色３３が黒色に表示される。
【００１９】
本発明のタッチパネル装置１では、ＬＣＤ３に表示される入力キー（画面切り替えキーを含む）と、この入力キー対応してタッチパネル２に設定される入力受入領域の大きさ（座標）を同一としている。つまり、ＬＣＤ３に表示された入力キーのいずれかの部分をタッチしようとすると、タッチパネル２に設定された入力受入領域がタッチされ、入力キーに割り当てられたキーデータが生成される。したがって、ＬＣＤ３に表示された画面切り替えキー１３のいずれかの部分をタッチしようとすると、タッチパネル２に設定された前記画面切り替えキー１３の入力受入領域がタッチされて、画面切り替えキー１３に割り当てられたキーデータが生成される。
【００２０】
図６（ｂ）は、本発明にかかるタッチパネル装置による視覚障害者用画面表示の一例である。図６（ａ）に示した、タッチパネル２に設定された画面切り替えキー１３の入力受入領域がタッチされると、ＣＰＵ８はＬＣＤ３に表示されている画面の設定を判断し、表示されている画面が通常画面（図５に示したテーブル番号「１」）であれば、画面切り替えキー１３と同じ色彩対比である、図５に示したテーブル番号「２」の入力キーデータをＲＯＭ１０から読み出し、ＬＣＤ制御器７を介してＬＣＤ３に表示する。つまり、前記通常画面を切り替えて、色覚障害者用画面として、「Ａ」入力キー１１は、入力キー背景色２１が白色、入力キー内文字色３１が黒色に表示され、同様に「Ｂ」入力キー１２も、入力キー背景色２２が白色、入力キー内文字色３２が黒色に表示される。
【００２１】
前記画面切り替えキー１３は、タッチパネル装置１のユーザー設定モードにおいて、図５に示した色覚障害者用画面であるテーブル番号「２〜６」のうち、どの色系統の色覚障害であるかにあわせて、いずれかの番号を指定して設定することができる。たとえば、前記ユーザー設定モードにおいて、テーブル番号「５」が設定されていれば、健常者用の通常表示画面において、画面切り替えキー１３は、入力キー背景色２３が青色、入力キー内文字色３３が黄色で表示される。そして、この画面切り替えキー１３の入力受入領域がタッチされると、前記通常画面を切り替えて、画面切り替えキー１３と同じ色彩対比の色覚障害者用画面として、「Ａ」入力キー１１は、入力キー背景色２１が青色、入力キー内文字色３１が黄色に表示され、同様に「Ｂ」入力キー１２も、入力キー背景色２２が青色、入力キー内文字色３２が黄色に表示される。
【００２２】
上述の色覚障害者用画面が表示されている状態で、タッチパネル２に設定された画面切り替えキー１３の入力受入領域がタッチされると、ＣＰＵ８はＬＣＤ３に表示されている画面の設定を判断し、表示されている画面が色覚障害者用画面（図５に示したテーブル番号「２〜６」）であれば、通常画面である、図５に示したテーブル番号「１」の入力キーデータをＲＯＭ１０から読み出し、ＬＣＤ制御器７を介してＬＣＤ３に表示する。つまり、前記色覚障害者用画面を切り替えて、図６（ａ）に示した健常者用の通常画面が表示される。
【００２３】
このように、通常画面に色覚障害者が認識可能な色彩の対比で画面切り替えキー１３を表示することによって、色覚障害者であっても迷うことなく健常者用の通常画面を切り替えて、入力キー背景色と入力キー内文字色のコントラストをはっきりさせて読み取りやすくした色覚障害者用画面を表示することができる。また、画面切り替えキー１３の入力受入領域をタッチするだけで、通常画面から色覚障害者用画面または色覚障害者用画面から通常画面へと切り替えて表示することができる。さらに、画面切り替えキー１３の入力キー背景色２３、入力キー内文字色３３の色彩の対比は、どの色系統の色覚障害であるかにあわせて、図５に示した色覚障害者用画面での色彩対比であるテーブル番号「２〜６」の組合せから指定して設定できるので多くの色覚障害者に対応することができる。
【００２４】
次に、視覚障害者用画面表示の他の例について説明する。本発明にかかるタッチパネル装置１は、図６（ｂ）に示したような色覚障害者用画面が表示されているとき、この色覚障害者用画面に表示された入力キー対応する入力受入領域がタッチされると、このタッチされた入力受入領域に対応する前記入力キーの色彩の対比を、他の色彩の対比に変更して表示することができる。
【００２５】
たとえば、図６（ｂ）の「Ａ」入力キー１１に対応するタッチパネル２の入力受入領域がタッチされると、図６（ｃ）に示すように、「Ａ」入力キー１１における入力キー背景色２１を「白色」から「黒色」へ、入力キー内文字色３１を「黒色」から「白色」へ色彩の対比を変更して表示する。詳しくは、「Ａ」入力キー１１に対応するタッチパネル２の入力受入領域がタッチされると、ＣＰＵ８はＬＣＤ３に表示されている画面設定のテーブル番号を判断し、たとえば、表示されている画面設定がテーブル番号「２」であれば、次の番号であるテーブル番号「３」の「Ａ」入力キーデータをＲＯＭ１０から読み出し、ＬＣＤ制御器７を介してＬＣＤ３に表示する。
【００２６】
このように、このタッチされた入力受入領域に対応する入力キーの色彩の対比を、他の色彩の対比に変更して表示することで、キーボードのように押下した感覚が得られないタッチパネル装置であっても、色覚障害者がタッチした入力キーを確実に判別することができる。
【００２７】
さらに、本発明にかかるタッチパネル装置１は制御回路４にタイマ部を設けて、図６（ｂ）に示したような色覚障害者用画面が表示されているとき、この色覚障害者用画面に表示された入力キー対応する入力受入領域がタッチされると、このタッチされた入力受入領域に対応する前記入力キーの色彩の対比を、他の色彩の対比に変更して、所定時間表示することができる。
【００２８】
たとえば、図６（ｂ）の「Ａ」入力キー１１に対応するタッチパネル２の入力受入領域がタッチされると、図６（ｃ）に示すように、「Ａ」入力キー１１における入力キー背景色２１を「白色」から「黒色」へ、入力キー内文字色３１を「黒色」から「白色」へ色彩の対比を変更して所定時間表示し、この所定時間経過後に変更前の色彩の対比に、「Ａ」入力キー１１における入力キー背景色２１を「黒色」から「白色」へ、入力キー内文字色３１を「白色」から「黒色」に戻して表示する。
【００２９】
詳しくは、「Ａ」入力キー１１に対応するタッチパネル２の入力受入領域がタッチされると、ＣＰＵ８はＬＣＤ３に表示されている画面設定のテーブル番号を判断し、たとえば、表示されている画面設定がテーブル番号「２」であれば、次の番号であるテーブル番号「３」の「Ａ」入力キーデータをＲＯＭ１０から読み出し、ＬＣＤ制御器７を介してＬＣＤ３に表示し、制御回路４に設けたタイマ部が所定時間計測した後に、変更前のテーブル番号「２」の「Ａ」入力キーデータをＲＯＭ１０から読み出し、ＬＣＤ制御器７を介してＬＣＤ３に表示する。  
【００３０】
このように、このタッチされた入力受入領域に対応する入力キーの色彩の対比を、他の色彩の対比に変更して表示することで、キーボードのように押下した感覚が得られないタッチパネル装置であっても、色覚障害者がタッチした指やペンをタッチパネルから離した状態でも、タッチした入力キーを確実に判別することができる。
【００３１】
なお、本発明が上記実施の形態に限定されず、本発明の技術思想の範囲内において、実施の形態は適宜変更可能である。また、上記構成部材の数、位置、形状等は上記実施の形態に限定されず、本発明を実施する上で好適な数、位置、形状等にすることができる。
【図面の簡単な説明】
【００３２】
【図１】本発明にかかるタッチパネル装置を説明するための説明図である。
【図２】図１に示すサーマルプリンタの構成を示す模式図である。
【図３】図１に示すＡ−Ａ方向概略断面図である。
【図４】本発明にかかるタッチパネル装置の構成を示すブロック図である。
【図５】本発明にかかるタッチパネル装置の入力キー色彩対比テーブルである。
【図６】本発明にかかるタッチパネル装置による実施の形態を説明するための説明図である。
【符号の説明】
【００３３】
１  タッチパネル装置
２  タッチパネル
３  ＬＣＤ
４  制御回路
５  筐体
６  タッチパネル制御器
７  ＬＣＤ制御器
８  ＣＰＵ
９  ＲＡＭ
１０  ＲＯＭ
１１、１２  入力キー
１３  画面切り替えキー
２１、２２、２３  入力キー背景色
３１、３２、３３  入力キー内文字色
４０  サーマルプリンタ
４１  印字用紙
４２  プラテン
４３  サーマルヘッド
【図１】
2005078359.tif 000003
【図２】
2005078359.tif 000004
【図３】
2005078359.tif 000005
【図４】
2005078359.tif 000006
【図５】
2005078359.tif 000007
【図６】
2005078359.tif 000008